(57)【要約】【課題】容易に袋体を容器に固定可能な詰め替え容器等を提供する。【解決手段】詰め替え容器１００は、内容物が収容された袋体３が挿入される開口部１を有する容器本体２と、前記開口部１の内側に突出し、前記容器本体２の内部に折り込み可能なフラップ８と、前記開口部１を閉塞又は開口する開閉蓋付き蓋体１０と、を具備し、前記開閉蓋付き蓋体１０は、前記容器本体２の内部に挿入可能な筒状体１３を備え、前記開閉蓋付き蓋体１０を容器本体２に取り付ける際に、前記筒状体１３が前記フラップ８を折り込んで、前記袋体３の開封口の縁を前記容器本体２との間で挟持する。【選択図】図３
2011105352.tif 000002
【特許請求の範囲】
【請求項１】
内容物が収容された袋体が挿入される開口部を有する容器本体と、
前記開口部の内側に突出し、前記容器本体の内部に折り込み可能なフラップと、
前記開口部を閉塞又は開口する開閉蓋付き蓋体と、を具備し、
前記開閉蓋付き蓋体は、
前記容器本体の内部に挿入可能な筒状体を備え、前記開閉蓋付き蓋体を容器本体に取り付ける際に、前記筒状体が前記フラップを折り込んで、前記袋体の開封口の縁を前記容器本体との間で挟持することを特徴とする詰め替え容器。
【請求項２】
前記袋体を更に備えていることを特徴とする請求項１に記載の詰め替え容器。
【請求項３】
前記フラップは、前記開口部から袋体の開封口の縁までの長さよりも長いことを特徴とする請求項１、又は２に記載の詰め替え容器。
【請求項４】
前記筒状体は、前記フラップに着脱可能に取り付けられることを特徴とする請求項１乃至３のいずれか一項に記載の詰め替え容器。
【請求項５】
前記袋体が、底部が拡開可能な自立性袋であることを特徴とする請求項１乃至４のいずれか一項に記載の詰め替え容器。
【請求項６】
内容物が収容された袋体と、
前記袋体が挿入される開口部を有する容器本体と、
前記開口部の内側に突出し、前記容器本体の内部に折り込み可能なフラップと、
前記開口部を閉塞又は開口する開閉蓋付き蓋体と、を具備し、
前記開閉蓋付き蓋体は、
前記容器本体の内部に挿入可能な筒状体を備え、前記開閉蓋付き蓋体を容器本体に取り付ける際に、前記筒状体が前記フラップを折り込んで、前記袋体の開封口の縁を前記容器本体との間で挟持することを特徴とする内容物を収容した詰め替え容器包装体。
【発明の詳細な説明】
【技術分野】
【０００１】
本発明は、詰め替え容器包装体と称される詰め替え容器に関し、特に内容物を入れた包装体を詰め替え可能な容器等に関する。
【背景技術】
【０００２】
一般的に粉末状、顆粒状、粒状、ペースト状などの内容物は缶に充填され密封された包装体として流通市場に供給されている。
【０００３】
また、従来から袋詰めされた容器を交換可能な詰め替え容器が知られている（例えば、特許文献１参照）。
【０００４】
特許文献１に記載された詰め替え容器は、粉末状の例えば食品が収容された包装体を収容する容器本体と、容器本体の開口部を塞ぐ蓋体と、を備えている。この詰め替え容器は、蓋体と容器本体との嵌合部に包装体の開封口の縁を挟み込むようにして、包装体が取り付けられるようになっている。そして、容器を上下反転又は振り動かした際に、容器内に
食品が落下するのを防止可能になっている。また、詰め替え容器は、包装体の中身を消費した後に、中身の入った新たな包装体を用意し、包装体のみを新しいものと交換することで、容器本体と蓋を再使用可能である。
【先行技術文献】
【特許文献】
【０００５】
【特許文献１】実用新案登録第２５５４８２２号公報
【発明の概要】
【発明が解決しようとする課題】
【０００６】
しかしながら、包装体は、柔らかい袋の開封口の全周縁を指で拡げてその拡げた状態を保持しながら、容器本体側の開口縁を袋の開封口の全周縁と共に開閉蓋付き蓋体側の環状溝内に押し込まなければならず、そのため袋を容器本体内に装着したり、袋を新しいものと交換したりする際の操作が極めて面倒である。また、袋を容器本体内に装着する際に、袋開封口の周縁の一部が容器本体の内側に取り残されたりすることがあり、その場合は取り残された箇所から中味が袋と容器本体との間に入り込むという不具合が生じる。さらに、袋を容器本体内に装着する際に、指で袋の開封口を支える必要があり、その指が袋内に侵入して中身の内容物に接触するので不衛生であるという問題がある。
【０００７】
本発明は、このような問題の解消を一つの課題とし、その目的の一例は、容易に袋体を容器に固定可能な詰め替え容器、及び内容物を収容した詰め替え容器包装体を提供するものである。
【課題を解決するための手段】
【０００８】
上記課題を解決するため、請求項１に記載の詰め替え容器（１００）は、内容物（Ａ）が収容された袋体（３）が挿入される開口部（１）を有する容器本体（２）と、前記開口部の内側に突出し、前記容器本体の内部に折り込み可能なフラップ（８）と、前記開口部を閉塞又は開口する開閉蓋付き蓋体（１０）と、を具備し、前記開閉蓋付き蓋体は、前記容器本体の内部に挿入可能な筒状体（１３、５１）を備え、前記開閉蓋付き蓋体を容器本体に取り付ける際に、前記筒状体が前記フラップを折り込んで、前記袋体の開封口の縁を前記容器本体との間で挟持することを特徴とする。
【０００９】
なお、上記袋体に収容される内容物が乳製品の場合、当該乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられる。
【００１０】
ただし、本発明は、容器が開封された後に長期にわたり喫食される乳製品に好適であり、かかる乳製品としては粉末形状の乳製品、即ち粉乳が好ましく、本発明の効果を最大限に享受することができる。ここで、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１１】
この発明によれば、蓋体を容器本体に挿入する操作のみで、フラップを用いて容器本体に開封された袋体の縁を固定できるので、容易に袋体を容器本体に固定できる。また、袋体と容器本体はその全周囲において密着されるので、袋体と容器本体の間に内容物がこぼれ出すことも防止できる。また、袋内に手を入れることなく、容器本体に袋体を固定できるので、衛生上好ましい。
【００１２】
また、請求項２に記載の詰め替え容器は、請求項１に記載の詰め替え容器において、前記袋体を更に備えていることを特徴とする。この発明によれば、内容物が収容された袋体を別途買う必要がなく、直ぐに容器を使用することが可能である。
【００１３】
また、請求項３に記載の詰め替え容器は、請求項１又は２に記載の詰め替え容器において、前記フラップは、前記開口部から袋体の開封口の縁までの長さよりも長いことを特徴とする。この発明によれば、確実に開封した袋体の縁を固定することが可能である。
【００１４】
また、請求項４に記載の詰め替え容器は、請求項１乃至３のいずれか一項に記載の詰め替え容器において、前記筒状体は、前記フラップに着脱可能に取り付けられることを特徴とする。この発明によれば、容器本体に蓋体を固定することができるため、簡単に蓋体が容器本体から取り外されることを防止できる。
【００１５】
また、請求項５に記載の詰め替え容器は、請求項１乃至４のいずれか一項に記載の詰め替え容器において、前記袋体が、底部が拡開可能な自立性袋であることを特徴とする。この発明によれば、開封した袋体を容器に収容する際に、内容物がこぼれ出すなどの不具合がない。
【００１６】
また、請求項６に記載の内容物を収容した詰め替え容器包装体は、内容物が収容された袋体と、前記袋体が挿入される開口部を有する容器本体と、前記開口部の内側に突出し、前記容器本体の内部に折り込み可能なフラップと、前記開口部を閉塞又は開口する開閉蓋付き蓋体と、を具備し、前記開閉蓋付き蓋体は、前記容器本体の内部に挿入可能な筒状体を備え、前記開閉蓋付き蓋体を容器本体に取り付ける際に、前記筒状体が前記フラップを折り込んで、前記袋体の開封口の縁を前記容器本体との間で挟持することを特徴とする。
【００１７】
この発明によれば、蓋体を容器本体に挿入する操作のみで、フラップを用いて容器本体に開封された袋体の縁を固定できるので、容易に袋体を容器本体に固定できる。また、袋体と容器本体はその全周囲において密着されるので、袋体と容器本体の間に内容物がこぼれ出すことも防止できる。また、袋体内に手を入れることなく、容器本体に袋体を固定できるので、衛生上好ましい。また、内容物が収容された袋体が予め容器本体内に収容されているので、当該袋体を別途買う必要がなく、直ぐに使用することが可能である。
【発明の効果】
【００１８】
本発明によれば、容易に袋体を容器本体に固定できる。また、袋体と容器本体はその全周囲において密着され、袋体と容器本体の間に内容物がこぼれ出すことも防止できる。また、袋体内に手を入れることなく、容器本体に袋体を固定できるので、衛生上好ましい。
【図面の簡単な説明】
【００１９】
【図１】実施形態１に係る詰め替え容器の斜視図である。
【図２】実施形態１に係る詰め替え容器の垂直断面図である。
【図３】実施形態１に係る詰め替え容器の蓋を開けた際の垂直断面図である。
【図４】実施形態１に係るフラップの平面図である。
【図５】未開封の袋の構成を示す図であり、図５（ａ）は袋の正面図、図５（ｂ）は袋の斜視図である。
【図６】実施形態２に係る詰め替え容器の斜視図である。
【図７】実施形態２に係る詰め替え容器の垂直断面図である。
【図８】実施形態２に係る詰め替え容器の蓋を開けた際の垂直断面図である。
【図９】実施形態２に係るフラップの平面図である。
【発明を実施するための形態】
【００２０】
以下、本発明の望ましい形態について図面に基づいて説明する。なお、以下に説明する乳製品Ａは本願の内容物の一例である。よって、本願の内容物には、例えば、粉末状、顆粒状、粒状、錠剤、ピース状、ブロック状の他、ペースト状など各種の形態の食品が例示できる。また、一つ一つのピースが包装されている個包装のピース状のものであってもよい。
【００２１】
＜実施形態１＞
図１乃至図３に示すように、容器１００（本願の詰め替え容器又は内容物等を収容した詰め替え容器包装体）は、開口部１を有する容器本体２を備えている。この容器本体２には、例えば、粉ミルクなどの乳製品Ａが収容された本願の袋体としての袋３が前記開口部１から開封状態で挿入される。
【００２２】
この容器本体２は、下端部が絞られてテーパ状に形成された円筒状の胴部２ａを有し、この胴部２ａの上端が略円形状の前記開口部１とされ、下端は略円形状の底板２ｂで閉じられ、有底円筒状に形成されている。また、この胴部２ａに有する開口部１の外側には、当該開口部１を形成する縁の端部を外側に湾曲状に折り返して口径を一回り大きくした略半円形状の突起部２ｃが形成されている。
【００２３】
なお、本実施形態では、容器本体２の胴部２ａをテーパ状に形成しているが、ストレート形状でも構わない。本実施形態のように胴部２ａをテーパ状に形成することで、重ね合わせて（スタック）運搬することが可能であるため、胴部２ａがストレート形状の容器本体と比較して輸送効率を上げることが可能である。
【００２４】
また、この容器１００は、図２乃至図４に示すように、前記開口部１に取り付けられ、樹脂などによって成形された環状の枠体５を備えている。当該枠体５は、前記開口部１の縁を囲むようにして着脱可能に取り付けられる基部６と、当該基部６にヒンジ部７を介して取り付けられているフラップ８と、を備えている。この基部６には、前記開口部１の外側に形成されている前記突起部２ｃを囲み前記突起部２ｃの下端部に引っ掛けて係合させ、着脱可能な係合部６ａが形成されている。また、フラップ８は、容器本体２の内側に水平方向に突出して設けられており、図３に示すように、ヒンジ部７を介して下方向（容器本体２の内部）に折り曲げ可能となっている。また、フラップ８は、図４に示すように、枠体５の内側の周縁を四分割した時に分割される辺に対応して４つ設けられている。また、フラップ８の長さは、フラップ８を折り曲げたときに、容器本体２の内部に収容される袋３の上部端面に達する長さを有し、袋３内に収容される粉ミルクなどの乳製品Ａの上端面よりも短いことが好ましい。また、フラップの形状は中心に向かって先細りのテーパ状に形成されていることが望ましい。このようにすれば、最初に袋３の開封口を広げるきっかけとなりやすく、且つテーパに沿って順に袋３の開封口が開いていくため、袋３にシワや折れ曲がりができるのを少なくできる。
【００２５】
なお、フラップ８の数は、３つ、若しくは４つよりも多数であっても構わないが、枠体の内側の周縁に均等に配置されることが望ましい。また、フラップ８を弾性体で形成することで、ヒンジ部７を取り除くことも可能である。
【００２６】
また、容器１００は、前記枠体５を介して前記開口部１に取り付けられる蓋１０（本願の開閉蓋付き蓋体）を備えている。この蓋１０は、略円筒状に形成された下蓋１１と、開口部１を閉塞可能に当該下蓋１１に取り付けられている上蓋１５と、を備えている。
【００２７】
下蓋１１は、枠体５上に載置される基部１２を備え、当該基部１２には、略垂直方向下側に延び、前記開口部１の径より小径な環状の筒部１３（本願の筒状体）が形成されている。
【００２８】
図２及び図３に示すように、この筒部１３の下端部には、前記フラップ８を折り曲げるとともに容器本体２の内面に押し付けて、フラップ８の下端部に内側から外側に向けて引っ掛けて係合させ、着脱可能な係合部１３ａが形成されている。そして、この筒部１３は、図３に示すように、容器本体２の開口部１に枠体５を介して取り付けられ、容器１００の内容物取り出し口として機能する。
【００２９】
また、図３に示すように、下蓋１１の基部１２には、周縁の一部にヒンジ部６１を介して上蓋１５が取り付けられている。このようにして上蓋１５は、当該ヒンジ部６１を介して開口部１を開閉可能となっている。
【００３０】
また、上蓋１５と下蓋１１の基部１２には、ヒンジ部６１と対向する側の周縁の一部に互いに係合し、着脱可能な係合部１６としての突起１６ａと凹部１６ｂがそれぞれに形成されている。このようにして、上蓋１５は所定の力を外部から加えなければ自由に開閉しないように下蓋１１に取り付けられている。これにより、自由に上蓋１５が開いて粉ミルクなどの乳製品Ａがこぼれ出すことを防止するとともに、内部を容易に密閉することができる。
【００３１】
また、上蓋１５を構成する基体１２ａの裏面には、スプーン７１が取り外し可能に固定される。スプーン７１を当該基体１２ａに固定するための固定手段は、周知の技術を用いれば容易に可能なため、ここではその説明を省略する。また、下蓋１１の基部１２には、必要に応じて開口部１を横断するように摺り切り１４が梁状に設けられる。このようにすれば、スプーン７１を用いて掬った粉ミルクなどの乳製品Ａを前記摺り切り１４で掻き落とすことにより、使用する乳製品を計量することができる。
【００３２】
また、容器本体２、及び蓋１０は、紙、プラスチック、ポリプロピレン、ポリエチレン、ＡＢＳ樹脂、ポリスチレン、ポリカーボネート、ポリエチレンテレフタレート等、又はそれらの複合体によって成形され、あるいは紙シートの折り曲げ加工等によって成形され、あるいは紙と上記樹脂との複合体として成形される。一方、枠体５は、ポリプロピレン、エラストマー、合成ゴム、シリコン、ポリエチレン等、またはそれらの複合体によって形成される。
【００３３】
次に、上記容器１００に予め挿入される袋３について説明する。なお、当該袋３は必ずしも予め容器本体２の内部に挿入されるものではない。
【００３４】
袋３は、図５（ｂ）に示すように、底部が拡開可能な自立性袋として構成される。
【００３５】
この袋３は次のようにして作成される。
【００３６】
図５に示すように、自立性袋として構成された袋３は、樹脂フィルム製の前後フィルム１７、１８が重ねられ、前後フィルム１７、１８の下部の間に樹脂フィルム製の底部フィルム１９が内側に折り返して底部フィルム折り返し部２０まで挿入され、袋３の底部がガゼット部２１を形成するように、底面フィルムの両側下端部には、半円形の切欠部２２が形成され両側から中央部にかけて円弧状に凹状となる船底型のシールパターンを有する底部シール部２３と、前後フィルム１７、１８との間が夫々ヒートシールして形成され、前後フィルム１７、１８の両側縁、及び前後フィルム１７、１８の上端縁との間が夫々ヒートシールして形成される。
【００３７】
なお、前後フィルム１７、１８の上端部は、内容物の一例である粉ミルクなどの乳製品Ａの充填口に使用されるため、当該乳製品Ａの充填後にヒートシールされて密閉される。
【００３８】
また、前後フィルム１７、１８の上部には、易開封手段としての切欠２６が形成される。これによって、左右端のいずれか一方を指で摘んで他端へと引っ張ると前後フィルムが帯状に破断し、袋３を開封できる。
【００３９】
樹脂フィルムは、例えば積層フィルムであり、図示しないが外側に非ヒートシール材層が配置され、内側にヒートシール材層が配置され、中間にガスバリア材層が配置される。
【００４０】
前後フィルム１７、１８は上記樹脂フィルムを打ち抜いたり断裁したりすることにより例えば同形同大の略長方形に形成される。前後フィルム１７、１８はヒートシール材層を内側にして重ね合わされる。
【００４１】
一方、底部フィルム１９は上記樹脂フィルムを打ち抜いたり断裁したりすることにより略長方形に形成される。底部フィルム１９は非ヒートシール材層を内側にして二つ折りされ、前後フィルム１７、１８間にそれらの一辺に沿うように挿入される。この底部フィルム１９の挿入により、前フィルム１７と底部フィルム１９とが重なった箇所が前ガセット部とされ、後フィルム１８と底部フィルム１９とが重なった箇所が後ガセット部とされる。
【００４２】
また、ヒートシールは、図示しない加熱盤で熱プレスすることにより行われる。
【００４３】
また、切欠部２２を通して前フィルム１７と後フィルム１８との対向する部分がヒートシールされることにより、袋３の底に底部フィルム１９にマチが形成され、図５（ｂ）に示すように、このマチを拡開し底にすることで袋３を自立させることができる。
【００４４】
なお、袋は、自立可能な袋であれば、上記実施形態の袋に限られず用途に応じて周知技術を用いて形成された様々な種類の袋を採用することができる。
【００４５】
次に、本実施形態の容器１００の使用方法と作用について説明する。
【００４６】
（１）袋３内の粉ミルクなどの乳製品Ａを使用するに際し、蓋１０を容器本体２から取り外し、開口部１から容器本体２の内部に収容されている袋３を取り出し、袋３を開封する。袋３の開封作業は、より詳しくは、袋３の図５に示す左右どちらか一方の端部を他方側へ指で引っ張ることにより、切欠部２６から前後フィルム１７、１８が帯状に切り裂かれて破断する。これにより、袋３の上端に開封口が形成される。
【００４７】
この場合、袋３はガセット部２１が拡開状態にあることから、幅広の底面を有することになり、机等の平坦面上で倒れることなく自立可能である。
【００４８】
（２）この袋３をフラップ８をくぐり抜けて容器本体２内に挿入させると、袋３の開封口が容器本体２内で適度に拡開し、使用者が指で保持せずとも開封口の縁はその全周が容器本体２の開口部１に合致するように保持される。なお、フラップ８はその弾性力により元の位置に戻る。
【００４９】
（３）そこで、図２に示すように、蓋１０を容器本体２の開口部１にあてがうと、下蓋１１に形成されている筒部１３がフラップを下方へと押圧し、フラップ８が袋３の開封口の内側へと入り込む。さらに、筒部１３を容器本体２の内部へと押し込むと、筒部１３の側面でフラップ８を容器本体２の胴部２ａ内面へと押し付け、フラップ８により袋３の開封口を容器本体２の胴部２ａ内面へと押し付けつつ、筒部１３が袋３の開封口から袋３内へと入り込む。
【００５０】
図３に示すように、筒部１３が袋３内に入り切ると、この筒部１３とフラップ８によって、袋３の開封口の全周縁は容器本体２の開口部１の内面に押しやられて挟持され、容器本体２の内面の定位置に固定される。
【００５１】
また、同時に筒部１３の下端部に形成された係合部１３ａがフラップ８の下端部に係合することで、蓋１０が容器本体２の開口部１に固定される。
【００５２】
このように、袋３の開封口はその全周縁が速やかに容器本体２の開口部１の内面に接することとなり、袋３を開封して容器本体２内に装着する際の操作を極めて簡易かつ迅速に行うことができる。
【００５３】
（４）袋３内の粉ミルクなどの乳製品Ａを取り出すには、次のような操作をすればよい。
【００５４】
図２に示すように、上蓋に取り付けられているスプーン７１を取り外し、スプーン７１を筒部によって形成された内容物取り出し口から袋３内に挿入して粉ミルクなどの乳製品Ａを掬い、摺り切り１４で余剰の当該乳製品Ａを除去し、容器本体２外へと取り出す。
【００５５】
また、粉ミルクなどの乳製品Ａの取り出し作業が終了した後は、上蓋１５を閉じて下蓋１１に形成されている凹部１６ｂに上蓋１５の凸部１６ａを係合させることで、再び容器１００の内部を密閉状態に保つことができる。
【００５６】
袋３内の粉ミルクなどの乳製品Ａが完全に消費された場合には、前記内容物取り出し口から空の袋３を容器本体２から抜き取り、新しい袋３を開封して上述したと同様な手順で容器本体２内に装着し、上蓋１５を開けることで中味の粉ミルクなどの乳製品Ａを取り出すことができる。
【００５７】
なお、予め粉ミルクなどの乳製品Ａを収容した袋３が容器本体２に入ってない場合には、上記乳製品Ａを完全に消費して新しい袋３を容器本体２の内部に装着する手順で行えば良い。
【００５８】
また、本実施形態では、枠体５を容器本体２から取り外さないで袋３内の粉ミルクなどの乳製品Ａを使用する例について説明したが、袋３を容器本体２から取り出す時、及び袋３を開封して容器本体２に収容するときに、蓋１０と枠体５とを容器本体２からそれぞれ取り外して行っても構わない。このようにすれば、袋３を取り出すときにフラップ８を避ける必要がなくなり便利である。
【００５９】
＜実施形態２＞
次に、図６乃至図９を用いて、容器の他の実施形態について説明する。なお、本実施形態において、実施形態１の部分と同じ部分には同一の符号を付して示しその詳しい説明を省略する。
【００６０】
本実施形態２の容器２００（本願の詰め替え容器又は乳製品等を収容した詰め替え容器包装体）は、実施形態１の容器とその形状が異なるものである。
【００６１】
図６乃至図８に示すように、容器２００は、開口部１を有する容器本体２を備えている。この容器本体２には、例えば、粉ミルクなどの乳製品Ａが収容された袋体３が前記開口部１から開封状態で挿入される。
【００６２】
この容器本体２は、下端部が絞られてテーパ状に形成された筒状の胴部２ａを有し、この胴部２ａの上端が略矩形状の前記開口部１とされ、下端は略矩形状の底板２ｂで閉じられ、有底角筒状に形成されている。また、この胴部２ａに有する開口部１の外側には、当該開口部１を形成する縁の端部を外側に湾曲状に折り返して口径を一回り大きくした略半円形状の突起部２ｃが形成されている。
【００６３】
また、この容器２００は、図７乃至図９に示すように、外側及び内側の形状が角柱の形状をした筒状の枠体５を備えている。当該枠体５は、前記開口部１の縁を囲むようにして着脱可能に取り付けられる基部６と、当該基部６にヒンジ部７を介して取り付けられているフラップ８と、を備えている。この基部６には、前記開口部１の外側に形成されている前記突起部２ｃを囲み前記突起部２ｃの下端部に引っ掛けて係合させ、着脱可能な係合部６ａが形成されている。また、フラップ８は、容器本体２の内側に水平方向に延びるように設けられており、図８に示すように、ヒンジ部７を介して下方向（容器本体２の内部）に折り曲げ可能となっている。また、フラップ８は、枠体５の内側の辺に対応して４つ設けられている。
【００６４】
また、容器２００は、前記枠体５を介して前記開口部１に取り付けられる蓋１０を備えている。この蓋１０は、略矩形状に形成された下蓋１１と、開口部１を閉塞可能に当該下蓋１１に取り付けられている上蓋１５と、を備えている。
【００６５】
下蓋１１は、枠体５上に載置される基部１２を備え、当該基部１２には、容器本体２内に挿入可能に下方に向かって窄む筒体５１（本願の筒状体）が形成される。より具体的には、筒体５１は、基部１２から下方へと椀形に延び、その底面には、容器本体２の開口部１よりも少し小さな開口５１ａが形成される。
【００６６】
また、図８に示すように、下蓋１１の基部１２には、周縁の一部にヒンジ部６１を介して上蓋１５が取り付けられている。このようにして上蓋１５は、当該ヒンジ部６１を介して開口部１を開閉可能となっている。
【００６７】
また、上蓋１５と下蓋１１の基部１２には、ヒンジ部６１と対向する側の周縁の一部に互いに係合する係合部１６としての突起１６ａと凹部１６ｂがそれぞれに形成されている。
【００６８】
また、上蓋１５を構成する基体１２ａの裏面には、スプーン７１が取り外し可能に固定される。また、下蓋１１の基部１２に形成されている筒体５１の底面には、必要に応じて開口部１を横断するように摺り切り１４が梁状に設けられる。このようにすれば、スプーン７１を用いて掬った粉ミルクなどの乳製品Ａを前記摺り切り１４で掻き落とすことにより、使用する乳製品Ａを計量することができる。
【００６９】
なお、本実施形態の場合には、容器本体２の内部空間の形状に合わせて自立袋の形状もほぼ合致させる必要がある。また、袋３の開口をフラップで押し広げる関係上、袋３の
開口部の大きさは筒体５１の外径よりやや大きめに設計する必要がある。
【００７０】
ここで、容器本体の使用方法と作用について簡単に説明する。なお、ここでは、開封済みの袋を容器本体に挿入する時の使用方法について説明する。
【００７１】
まず、開封された袋３を容器本体２内に挿入すると、袋３の開封口が容器本体２内で適度に拡開し、使用者が指で保持せずとも開封口の縁はその全周が容器本体２の開口部１に合致するように保持される。
【００７２】
次に、図７に示すように、蓋１０を容器本体２の開口部１にあてがうと、下蓋１１に形成されている筒体５１がフラップ８を下方へと押圧し、フラップ８が袋３の開封口の内側へと入り込む。さらに、筒体５１を容器本体２の内部へと押し込むと、筒体５１の側面でフラップ８を容器本体２の胴部２ａ内面へと押し付け、フラップ８により袋３の開封口を容器本体２の胴部２ａ内面へと押し付けつつ、筒部１３が袋３の開封口から袋３内へと入り込む。
【００７３】
図７に示すように、筒部が袋３内に入り切ると、この筒体５１とフラップ８によって、袋３の開封口の四方の縁（ほぼ全周縁）は容器本体２の開口部１の内面に押しやられて挟持され、容器本体２の内面の定位置に固定される。
【００７４】
このように、袋３の開封口はその全周縁が速やかに容器本体２の開口部１の内面に接することとなり、袋３を開封して容器本体２内に装着する際の操作を極めて簡易かつ迅速に行うことができる。
【００７５】
なお、本発明は上記実施の形態に限定されるものではなく、本発明の要旨の範囲内で種々変更可能である。例えば、実施の形態では袋を自立性袋としたが、この袋は四方シール又は三方シールによる平パウチその他の袋であってもよい。また、本実施形態２では、蓋１０を容器本体２に固定する固定手段を設けていないが、実施形態１に示すようにフラップ８と係合する係合部１３ａを筒体５１に設けるようにしてもよいし、筒体５１の形状を実施形態１に示す筒部１３のようにしても構わない。また、本実施形態では、下蓋１１と枠体５のフラップ８とを係合させているが、枠体５と下蓋１１を直接嵌合させても構わない。例えば、枠体５と下蓋１１の外側で所定の嵌合手段を用いて着脱可能に嵌合させても構わない。この嵌合手段としては、本実施形態の嵌合手段に限られず、従来から周知の嵌合手段を用いることができる。
【符号の説明】
【００７６】
１…開口部
２…容器本体
３…袋
８…フラップ
１０…蓋
１３…筒部
【図１】
2011105352.tif 000003
【図２】
2011105352.tif 000004
【図３】
2011105352.tif 000005
【図４】
2011105352.tif 000006
【図５】
2011105352.tif 000007
【図６】
2011105352.tif 000008
【図７】
2011105352.tif 000009
【図８】
2011105352.tif 000010
【図９】
2011105352.tif 000011